(57)【要約】【課題】  本発明の課題は、ブックマーク検索者が、登録されたブックマークの中から、検索により、所望のブックマークを探すことが出来るストリング型ブックマーク・システムを提供することである。【解決手段】  コンテンツページのＵＲＬとそのコンテンツページの本文の複製を登録する手段と、入力された検索文字列を送信して、検索文字列を本文に含むコンテンツページを検索した結果を受信して、表示する手段とを備えたクライアント装置が、ストリング型ブックマーク・サーバ装置は、コンテンツページのＵＲＬと本文の複製を登録する手段と、前記検索文字列を本文に含むコンテンツページを検索した結果を返信する手段とを備えたサーバ装置とネットワーク接続されたストリング型ブックマーク・システムである。【選択図】  図１
2006309559.tif 000002
【特許請求の範囲】
【請求項１】
コンテンツページのＵＲＬとそのコンテンツページの本文の複製を含んで構成されるストリング型ブックマーク機能を備えたストリング型ブックマーク・クライアント装置とストリング型ブックマーク・サーバ装置から構成されるストリング型ブックマーク・システムであって、
前記ストリング型ブックマーク・クライアント装置は、
コンテンツページのＵＲＬとそのコンテンツページの本文の複製を送信するストリング型ブックマーク登録指示手段と、
入力された検索文字列を受け付けて、送信して、検索文字列を本文に含むコンテンツページを検索した結果を受信して、表示するストリング型ブックマーク検索指示手段と、
を備えたクライアント装置であって、
前記ストリング型ブックマーク・サーバ装置は、
受信したコンテンツページのＵＲＬとそのコンテンツページの本文の複製を所定の記憶領域に記録することによりコンテンツページをストリング型ブックマークに登録するストリング型ブックマーク登録手段と、
受信した検索文字列を受付けて、前記ストリング型ブックマークを参照して、前記検索文字列を本文に含むコンテンツページを検索してその結果を返信するストリング型ブックマーク検索手段と、
コンテンツページのＵＲＬとそのコンテンツページの本文の複製を記録する記憶手段と、
を備えたサーバ装置であることを特徴とするストリング型ブックマーク・システム。
【請求項２】
前記ストリング型ブックマーク登録指示手段は、テーマ名を付けて、テーマ名毎に少なくとも１つのコンテンツページのＵＲＬとタイトルと本文の複製を送信するものであって、
前記ストリング型ブックマーク登録手段は、受信したテーマ名毎に少なくとも１つのコンテンツページのＵＲＬとタイトルと本文の複製を、前記記憶手段に登録するものであって、
前記ストリング型ブックマーク検索指示手段は、検索文字列を送信して、前記ストリング型ブックマーク検索手段がその検索文字列に基づいて検索した結果を、受信して表示するものであって、
前記ストリング型ブックマーク検索手段は、受信した検索文字列に基づいて、その文字列を含んだテーマ名で関係付けられた前記登録されたコンテンツページ、または、その文字列を含んだタイトルで関係付けられた前記登録されたコンテンツページ、または、その文字列を含んだ本文で関係付けられた前記登録されたコンテンツページを検索してその結果を送信するものである、
ことを特徴とする請求項１に記載のストリング型ブックマーク・システム。
【請求項３】
前記ストリング型ブックマーク登録指示手段は、テーマ名を付けて、テーマ名毎に少なくとも１つのコンテンツページのＵＲＬとタイトルとを送信するものであって、
前記ストリング型ブックマーク登録手段は、受信したテーマ名毎に少なくとも１つのコンテンツページのＵＲＬとタイトルとを、前記記憶手段に登録するものであって、
前記ストリング型ブックマーク検索指示手段は、検索文字列を送信して、前記ストリング型ブックマーク検索手段がその検索文字列に基づいて検索した結果を、受信して表示するものであって、
前記ストリング型ブックマーク検索手段は、受信した検索文字列に基づいて、その文字列を含んだテーマ名で関係付けられた前記ＵＲＬで取得したコンテンツページ、または、その文字列を含んだタイトルで関係付けられた前記ＵＲＬで取得したコンテンツページ、または、前記ＵＲＬで取得したコンテンツページを検索してその結果を送信するものである、
ことを特徴とする請求項１に記載のストリング型ブックマーク・システム。
【請求項４】
テーマ名を付けて、テーマ名毎に少なくとも１つのコンテンツページのＵＲＬとタイトルと本文の複製を、記憶手段に登録する、ストリング型ブックマーク登録ステップと、
検索文字列を指定して、その文字列を含んだテーマ名で関係付けられた前記登録されたコンテンツページ、または、その文字列を含んだタイトルで関係付けられた前記登録されたコンテンツページ、または、その文字列を含んだ本文で関係付けられた前記登録されたコンテンツページを検索してその結果を表示する、ストリング型ブックマーク検索ステップと、
を含んだ手順でなされることを特徴とするストリング型ブックマーク方法。
【請求項５】
テーマ名を付けて、テーマ名毎に少なくとも１つのコンテンツページのＵＲＬとタイトルとを、記憶手段に登録する、ストリング型ブックマーク登録ステップと、
検索文字列を指定して、その文字列を含んだテーマ名で関係付けられた前記ＵＲＬで取得されたコンテンツページ、または、その文字列を含んだタイトルで関係付けられた前記ＵＲＬで取得されたコンテンツページ、または、前記ＵＲＬで取得されたコンテンツページを検索して、その結果を表示するストリング型ブックマーク検索ステップと、
を含んだ手順でなされることを特徴とするストリング型ブックマーク方法。
【請求項６】
コンピュータに組込むことによって、コンピュータを請求項１から、請求項３までのいずれか１項に記載のストリング型ブックマーク・システムとして動作させるコンピュータプログラム。
【請求項７】
請求項６に記載のプログラムを記録したコンピュータ読取り可能な記録媒体。
【発明の詳細な説明】
【技術分野】
【０００１】
本発明は、インターネットのＷＥＢサイトに存在するコンテンツ・ページに、何度もアクセスする場合に、インターネット・アドレス（ＵＲＬ）をブックマークとして登録することで、次回のアクセスでは、簡単な操作で、到達することができるブックマーク機能を備えたブックマーク・システムに関するものである。
【０００２】
なお、ＵＲＬとは、Uniform Resource Locatorの略称表記で、インターネット上に存在するリソース（たとえば、ＷＥＢサイトに格納されているＨＴＭＬ頁やレイアウト済み文書ページやコンピュータ・プログラムやデータやファイルなど）の場所を指し示す記述方式であって、インターネットにおける情報の「住所」にあたる。ＵＲＬの構成は、ＵＲＬと付属情報である情報の種別、サーバ名、ポート番号、フォルダ名、ファイル名などである。
【背景技術】
【０００３】
従来、登録されたブックマークを使って、所望のコンテンツに到達するためには、一覧表で管理されたブックマーク一覧を目で追って、所望のブックマークを探していた。
【０００４】
たとえば、特許文献１は、ブックマーク一覧を並び替えることで見やすくするもので、ブックマークごとに、参照日時および参照回数を記録し、参照時間順、参照頻度順またはアドレス名のアルフアベツト順にブックマークを並び替えて、ブックマークの読み易さを向上させる技術が開示されている。（従来技術１）
【特許文献１】特願平１０−３３４１２０号公報（７−１０頁、図８２）また、特許文献２は、１つのブックマークを起点にして、芋づる式にブックマークを目で辿れるようにするもので、ブックマーク情報に、閲覧文書に関連する文書の連鎖情報テーブルを設けて、関連性の高い文書情報の提供を支援する技術が開示されている。（従来技術２）
【特許文献２】特開平１１−２９６５２９号公報（３−５頁、図１−６）他方、特許文献３は、他人が登録しブックマークを活用して所望のブックマークを探すもので、収集したブックマークを、ブックマーク管理サーバで共有して、情報の充実度を向上させる技術が開示されている。（従来技術３）。
【特許文献３】特開２００３−６７３２８号公報（８−１３頁、図１−１２）
【発明の開示】
【発明が解決しようとする課題】
【０００５】
しかし、従来技術１では、よく利用するブックマークは、上位に表示されて参照しやすくなるが、あまり利用されない情報には、即座にアクセスすることが出来にくくなるという欠点がある。また、従来技術２は、ブックマークの関連性は、視覚的には一目瞭然であるが、関連性をつける作業に負荷がかかるという欠点がある。
更に、従来技術３は、サーバーで一括管理しているブックマーク情報は、大量になるために、目視して選択して、所望の情報を選び出す作業の負荷が大きくかかってしまう。
また、従来技術１、および、従来技術２、従来技術３は、ブックマーク検索者が、ブックマークを自ら指定して、その内容を表示閲覧させて、目視確認をする必要があるために、確認作業の手間と目視確認時間を要するという欠点があった。
【０００６】
本発明はこのような従来技術を考慮してなされたものであって、本発明の課題は、登録されたブックマークの中から、ブックマーク検索者が目的のブックマークを自動的に抽出できるストリング型ブックマーク・システムを提供することである。ここで、ストリング型ブックマークとは、ブックマーク検索者が、登録されたブックマークの中から、検索により、所望のブックマークを探すことが出来るものである。
【課題を解決するための手段】
【０００７】
本発明は、以下のような解決手段により、前記課題を解決する。すなわち、請求項１の発明は、コンテンツページのＵＲＬとそのコンテンツページの本文の複製を含んで構成されるストリング型ブックマーク機能を備えたストリング型ブックマーク・クライアント装置とストリング型ブックマーク・サーバ装置から構成されるストリング型ブックマーク・システムであって、前記ストリング型ブックマーク・クライアント装置は、コンテンツページのＵＲＬとそのコンテンツページの本文の複製を送信するストリング型ブックマーク登録指示手段と、入力された検索文字列を受け付けて、送信して、検索文字列を本文に含むコンテンツページを検索した結果を受信して、表示するストリング型ブックマーク検索指示手段と、を備えたクライアント装置であって、前記ストリング型ブックマーク・サーバ装置は、受信したコンテンツページのＵＲＬとそのコンテンツページの本文の複製を所定の記憶領域に記録することによりコンテンツページをストリング型ブックマークに登録するストリング型ブックマーク登録手段と、受信した検索文字列を受付けて、前記ストリング型ブックマークを参照して、前記検索文字列を本文に含むコンテンツページを検索してその結果を返信するストリング型ブックマーク検索手段と、コンテンツページのＵＲＬとそのコンテンツページの本文の複製を記録する記憶手段と、を備えたサーバ装置であることを特徴とするストリング型ブックマーク・システムである。
【０００８】
そこで、ブックマーク操作者が入力した検索文字列に基づいて、サーバ装置に登録されたストリング型ブックマークの本文を検索して、コンテンツページを検索することが出来る。
【０００９】
請求項２の発明は、前記ストリング型ブックマーク登録指示手段は、テーマ名を付けて、テーマ名毎に少なくとも１つのコンテンツページのＵＲＬとタイトルと本文の複製を送信するものであって、前記ストリング型ブックマーク登録手段は、受信したテーマ名毎に少なくとも１つのコンテンツページのＵＲＬとタイトルと本文の複製を、前記記憶手段に登録するものであって、前記ストリング型ブックマーク検索指示手段は、検索文字列を送信して、前記ストリング型ブックマーク検索手段がその検索文字列に基づいて検索した結果を、受信して表示するものであって、前記ストリング型ブックマーク検索手段は、受信した検索文字列に基づいて、その文字列を含んだテーマ名で関係付けられた前記登録されたコンテンツページ、または、その文字列を含んだタイトルで関係付けられた前記登録されたコンテンツページ、または、その文字列を含んだ本文で関係付けられた前記登録されたコンテンツページを検索してその結果を送信するものである、ことを特徴とする請求項１に記載のストリング型ブックマーク・システムである。
【００１０】
従って、ストリング型ブックマーク・システムは、ブックマーク操作者が入力した検索文字列に基づいて、サーバ装置に登録されたストリング型ブックマークのテーマ名やタイトルや本文に検索文字列を含むコンテンツページを検索することが出来る。
【００１１】
請求項３の発明は、前記ストリング型ブックマーク登録指示手段は、テーマ名を付けて、テーマ名毎に少なくとも１つのコンテンツページのＵＲＬとタイトルとを送信するものであって、前記ストリング型ブックマーク登録手段は、受信したテーマ名毎に少なくとも１つのコンテンツページのＵＲＬとタイトルとを、前記記憶手段に登録するものであって、前記ストリング型ブックマーク検索指示手段は、検索文字列を送信して、前記ストリング型ブックマーク検索手段がその検索文字列に基づいて検索した結果を、受信して表示するものであって、前記ストリング型ブックマーク検索手段は、受信した検索文字列に基づいて、その文字列を含んだテーマ名で関係付けられた前記ＵＲＬで取得したコンテンツページ、または、その文字列を含んだタイトルで関係付けられた前記ＵＲＬで取得したコンテンツページ、または、前記ＵＲＬで取得したコンテンツページを検索してその結果を送信するものである、ことを特徴とする請求項１に記載のストリング型ブックマーク・システムである。
【００１２】
従って、ブックマーク操作者が入力した検索文字列に基づいて、サーバ装置に記憶させたストリング型ブックマークのテーマ名やタイトルやＵＲＬで取得したコンテンツページに検索文字列を含むコンテンツページを検索することが出来る。
【００１３】
請求項４の発明は、テーマ名を付けて、テーマ名毎に少なくとも１つのコンテンツページのＵＲＬとタイトルと本文の複製を、記憶手段に登録する、ストリング型ブックマーク登録ステップと、検索文字列を指定して、その文字列を含んだテーマ名で関係付けられた前記登録されたコンテンツページ、または、その文字列を含んだタイトルで関係付けられた前記登録されたコンテンツページ、または、その文字列を含んだ本文で関係付けられた前記登録されたコンテンツページを検索してその結果を表示する、ストリング型ブックマーク検索ステップと、を含んだ手順でなされることを特徴とするストリング型ブックマーク方法である。
【００１４】
請求項５の発明は、テーマ名を付けて、テーマ名毎に少なくとも１つのコンテンツページのＵＲＬとタイトルとを、記憶手段に登録する、ストリング型ブックマーク登録ステップと、検索文字列を指定して、その文字列を含んだテーマ名で関係付けられた前記ＵＲＬで取得されたコンテンツページ、または、その文字列を含んだタイトルで関係付けられた前記ＵＲＬで取得されたコンテンツページ、または、前記ＵＲＬで取得されたコンテンツページを検索して、その結果を表示するストリング型ブックマーク検索ステップと、を含んだ手順でなされることを特徴とするストリング型ブックマーク方法である。
【００１５】
請求項６の発明は、コンピュータに組込むことによって、コンピュータを請求項１から、請求項３までのいずれか1項に記載のストリング型ブックマーク・システムとして動作させるコンピュータプログラムである。
【００１６】
請求項７の発明は、請求項６に記載のプログラムを記録したコンピュータ読取り可能な記録媒体である。
【発明の効果】
【００１７】
本願発明によれば、登録されたブックマークの中から、ブックマーク検索者が目的のブックマークを自動的に抽出できるストリング型ブックマーク・システムを提供できる。
【発明を実施するための最良の形態】
【００１８】
以下、図面等を参照しながら、本発明の実施の形態について、更に詳しく説明する。図１は、本発明によるストリング型ブックマーク機能を備えたブックマーク・システムの構成図である。ストリング型ブックマーク・システムは、ストリング型ブックマーク・クライアント装置１００とストリング型ブックマーク・サーバ装置１５０がインターネット接続されており、インターネット上にあるＷＥＢサイト１７０から、コンテンツを取得する。ストリング型ブックマーク・クライアント装置１００は、ストリング型ブックマーク・ブラウザ１０７を備える。前記ストリング型ブックマーク・ブラウザ１０７は、ストリング型ブックマーク登録指示手段１０１と、ストリング型ブックマーク検索指示手段１０２と、テーマ名変更指示手段１０３と、コンテンツ・ページ削除指示手段１０４と、会員情報送信手段１０５とから構成されている。ストリング型ブックマーク・サーバ装置１５０は、ストリング型ブックマーク登録手段１５１、ブックマーク登録検査手段１５２、ストリング型ブックマーク検索手段１５３、ブックマーク呈示手段１５４、テーマ名変更手段１５５、コンテンツ・ページ削除手段１５６、会員認証手段１５７、記憶手段１５９を備える。また、記憶手段１５９には、ブックマーク・データベース２００とコンテンツ・ファイル２４０を記憶する。
【００１９】
ストリング型ブックマーク・ブラウザ１０７、ストリング型ブックマーク登録指示手段１０１、ブックマーク登録検査手段、ストリング型ブックマーク検索指示手段１０２、テーマ名変更指示手段１０３、コンテンツ・ページ削除指示手段１０４、会員情報送信手段１０５、ストリング型ブックマーク登録手段１５１、ブックマーク登録検査手段１５２、ストリング型ブックマーク検索手段１５３、ブックマーク呈示手段１５４、テーマ名変更手段１５５、コンテンツ・ページ削除手段１５６、会員認証手段１５７は、コンピュータ・プログラムである。記憶手段１５９は、メモリー装置である。ブックマーク・データベース２００とコンテンツ・ファイル２４０は、データである。
【００２０】
図２は、ストリング型ブックマーク・システムのストリング型ブックマーク・クライアント装置１００とストリング型ブックマーク・サーバ装置１５０とＷＥＢサイト１７０との通信手順の説明図である。図４〜１０（後述）のストリング型ブックマーク・ブラウザ画面を参照しなから、通信手順を説明する。
【００２１】
ストリング型ブックマーク・クライアント装置１００の会員情報送信手段１０５は、ストリング型ブックマーク・ブラウザが起動されると、ストリング型ブックマーク・サーバ装置１５０に、会員認証画面の呈示を要求する（図２（ア））。ストリング型ブックマーク・サーバ装置１５０の会員認証手段１５７は、会員認証画面を呈示する（同（イ））。会員情報送信手段１０５は、呈示された会員認証画面に入力された会員識別記号とパスワードを送信する（（ウ）同）。会員認証手段１５７は、会員認証画面を呈示して、返信された会員識別記号とパスワードが正しければ、会員認証する。認証された会員に、ブックマーク・データベース２００の登録・更新を許可する（（エ）同）。
【００２２】
ブックマーク呈示手段１５４は、図４に示すように、ブックマーク・データベース２００から、全てのテーマ名を抽出して、ストリング型ブックマーク・ブラウザに呈示する（（カ）同）。ストリング型ブックマーク登録指示手段１０１は、図５に示すように、呈示されたテーマ名の中から、一つのテーマ名を選択する。または、新たしいテーマ名を登録する（（キ）同）。ストリング型ブックマーク・ブラウザ１０７は、たとえば、図６〜７に示すように、検索エンジンでＵＲＬを入手する。次に、ストリング型ブックマーク・ブラウザ１０７は、図８に示すように、指定されたＵＲＬにより、インターネット上のＷＥＢサイト１７０から所望のコンテンツ・ページを取得して表示する（（ク）同）。ストリング型ブックマーク登録指示手段１０１は、ブックマークに登録するＷＥＢサイトのコンテンツのＵＲＬと本文を複写して保持して、二重登録検査のために送信する（（ケ）同）。ブックマーク登録検査手段１５２は、受信したテーマ名のＵＲＬと同じテーマ名のＵＲＬがストリング型ブックマーク・データベースに登録されているか検査して、検査結果を報告する（（コ）同）。ストリング型ブックマーク登録指示手段１０１は、検査結果を受信表示する。ブックマーク登録者から、保持されたＵＲＬと本文を削除する指示を受けた場合は、これを削除する（（サ）同）。ストリング型ブックマーク登録指示手段１０１は、テーマ名とテーマ名毎に少なくとも１つの保持されたコンテンツ・ページのＵＲＬとこのコンテンツ・ページのタイトルと本文の複製から構成されたものを、送信する（（シ）同）。ストリング型ブックマーク登録手段１５１は、受信したテーマ名とＵＲＬとタイトルと本文を、ブックマーク・データベース２００の所定のテーブルとコンテンツ・ファイル２４０に、記録する（（ス）同）。
【００２３】
ストリング型ブックマーク検索指示手段１０２は、図１０に示すように、入力された検索文字列を受け付けて送信して、検索結果を受信して、表示する（（タ）同）。ストリング型ブックマーク検索手段１５３は、受信した検索文字列を検索文字列に指定して、ストリング型ブックマーク・データベースを検索して、検索文字列をテーマ名に含む前記登録されたコンテンツページ、または、その検索文字列をタイトルに含む前記登録されたコンテンツページ、または、その検索文字列を本文に含む前記登録されたコンテンツページを検索して、その結果を作成して送信する（（チ）同）。ストリング型ブックマーク検索指示手段１０２は、入力された検索文字列を送信して、検索結果を受信して表示する（（ツ）同）。
【００２４】
テーマ名変更指示手段１０３は、登録されているテーマ名の中から選択されたテーマ名の変更名を入力して、送信する（（ナ）同）。テーマ名変更手段１５５は、前記送信されたテーマ名の変更名を受信して、指示されたコンテンツ・ページのテーマ名を変更する（（ニ）同）。
【００２５】
コンテンツ・ページ削除指示手段１０４は、図９に示すように、登録されているコンテンツページの中から選択されたコンテンツページの削除指示情報を送信する（（ヌ）同）。コンテンツ・ページ削除手段１５６は、前記送信されたコンテンツページの削除指示情報を受信して、指示されたコンテンツ・ページを削除する（（ネ）同）。
【００２６】
図３は、ストリング型ブックマーク・データベースとコンテンツ・ファイルの構造図である。ブックマーク・データベース２００は、会員テーブル２１０、テーマ名テーブル２２０、ブックマーク・テーブル２３０を含んで構成される。ブックマーク・データベース２００とコンテンツ・ファイル２４０とは、内部ＵＲＬで関係付けられる。
【００２７】
会員テーブル２１０には、以下の項目から構成される会員データが登録されている。会員テーブル２１０の構成項目は、テーブルを登録した会員の識別記号“会員ＩＤ”、テーブルを登録した会員名“会員名”、登録したテーブルの更新処理の許可を与えるための認証するための“パスワード”、このブックマークを登録した日付を記述する“登録日”、ブックマークを更新した日付を記述する“更新日”、ブックマークを最終にアクセスした日付を記述する“最終アクセス日”、などである。
【００２８】
テーマ名テーブル２２０には、以下の項目から構成されるテーマ名データが登録されている。テーマ名テーブル２２０の構成項目は、テーブル固有の識別記号“テーマＩＤ”、ブックマーク・テーブル２３０に付けた名称を記述する“テーマ名” 、このブックマークの登録者の識別記号“会員ＩＤ”、などである。
【００２９】
ブックマーク・テーブル２３０には、以下の項目から構成されるタイトル・データが登録されている。ブックマーク・テーブル２３０の構成項目は、テーブル固有の識別記号“ブックマークＩＤ”、登録したコンテンツ・ページのタイトル名を記述する“コンテンツ・ページ・タイトル”、登録したコンテンツ・ページのURLを記述する “URL”、コンテンツ・ファイル２４０に登録されたコンテンツ本文のＵＲＬを記述する“内部ＵＲＬ”、このブックマーク・テーブル２３０に付けた名称を表すテーマ名テーブル２２０を示すための“テーマＩＤ”、などである。
【００３０】
コンテンツ・ファイル２４０には、以下の項目から構成される本文データが登録されている。コンテンツ・ファイル２４０の構成項目は、テーブル固有の識別記号“ブックマークＩＤ”、このコンテンツ・ファイル２４０のＵＲＬを記述する“内部ＵＲＬ”、コンテンツ・ページの本文を記録した“本文” などである。
【００３１】
図４は、ストリング型ブックマーク・ブラウザ表示部の初期状態である。ストリング型ブックマーク・ブラウザ画面３００は、検索文字列入力部３０１とブックマーク検索表示部３０２と検索ボタン３０３と、テーマ名入力部４０１と開始ボタン４０２と登録ボタン４０３と削除ボタン４０４と終了ボタン４０５と、コンテンツ表示部５０１から構成されている。
【００３２】
ブックマーク検索表示部３０２には、初期状態では、ブックマーク・データベース２００に既に登録されているブックマーク名テーブル２２０のテーマ名２２０ｂと、そのテーマＩＤ２２０ａと同じブックマーク・テーブル２３０のテーマＩＤ２３０ａの件数とが、表示される。なお、表示されているテーマ名を選択すると、そのテーマ名と共にブックマーク・テーブル２３０を構成しているブックマーク・テーブル２０３のタイトルがテーマ名の下部に列挙表示される。
【００３３】
図５は、テーマ名登録の画面例で、図４の状態から、遷移している。テーマ名入力部４０１に、テーマ名“ブラウザの文字化け”４０１ａを入力して、開始ボタン４０２を押すと、ブックマーク検索表示部３０２の表示内容３０２ａには、“登録開始”の表示とブックマーク・テーブル２０３の件数“０”とテーマ名“ブラウザの文字化け”の表示とコンテンツ・ページが“なし”の表示がされる。同時に、テーマ名を含むヘッダー部２０２が作成されて、保持される。
【００３４】
図６は、検索エンジンの表示例で、図５の状態から、遷移している。コンテンツ表示部５０１には、検索エンジン５０１ａが表示されている。検索エンジンの種類は、インターネットで利用可能なものであれば、特に制限は無い。表示されている検索エンジンの検索文字列入力部５０１ｍに、所望の検索語や検索条件を入力して、検索ボタン５０１ｎを押すことで、インターネット検索が開始される。
【００３５】
図７は、検索結果の表示例で、図６の状態から、遷移している。図５の検索エンジンに検索文字列“ブラウザ”５０１ｐを入力して検索して得た検索結果一覧５０１ｂが、コンテンツ表示部５０１に表示される。検索結果一覧５０１ｂの中に、検索されたコンテンツ・ページ・タイトル“WEB  SERVER 文字化け問題”５０１Ｓが、表示されている。
【００３６】
図８は、検索ページの登録例で、図７の状態から、遷移している。図６の検索結果一覧５０１ｂに表示されたコンテンツ・ページ・タイトル“Web Server 文字化け問題” ５０１Ｓが、ブックマーク登録者により選択されて、ＷＥＢサイトからそのコンテンツが取得されて、ストリング型ブックマーク・ブラウザ１０７により、コンテンツ・ページの内容５０１ｃが表示されている。この表示状態で、ブックマーク登録者により登録ボタン４０３が押されると、ブックマーク検索表示部３０２の表示内容は、“登録開始”が、“登録作業中”に変更されて、テーマ名“ブラウザの文字化け”に付属表示されているコンテンツ・ページの件数が“０”から “１” に変更されて、コンテンツ・ページ “なし”の部分が“Web Server文字化け問題” に変更されて、表示内容３０２ｂとなる。
【００３７】
図９は、ブックマークの文書ページ削除の例である。ブックマーク検索表示部３０２には、テーマ名“ブラウザの文字化け”の下に３件のコンテンツ・ページのタイトルが列挙表示されいる。列挙表示されたタイトルの中から“Unicodeとブラウザの関係”３０２ｃが選択された状態を示している。この後に、削除ボタン４０４が押されると、該当するブックマーク・テーブル２３０が削除される。
【００３８】
図１０は、ブックマーク検索結果を表示した例である。検索文字列入力部３０１に入力された検索文字列“文字化け”３０１ａで、ブックマーク・データベース２００とコンテンツ・ファイル２４０を検索すると、検索結果３０２ｄが、ブックマーク検索表示部３０２に、表示される。たとえば、テーマ名“ブラウザの文字化け”のブックマーク・テーブル２３０からは、２件のコンテンツ・ページ“文字化けの種類”、“ＷＥＢサーバ・ソフトのバグ”がヒットして、テーマ名“ＷＥＢサーバの設定方法”からは、２件のコンテンツ・ページ“ＷＥＢサーバ設定”、“ＷＥＢサーバ構築ツール” がヒットして、テーマ名“ Unicodeについて”からは、１件のコンテンツ・ページ“文字化けの理由”がヒットして、その検索結果３０２ｄを表示している。
【００３９】
図１１は、図５から図８までのブックマーク登録処理を含んだストリング型ブックマーク登録更新処理のフローチャートである。
（１）会員情報送信手段１０５は、ストリング型ブックマーク・ブラウザが起動されると  、ストリング型ブックマーク・サーバ装置１５０に、会員認証画面の呈示を要求する。  （ステップＳ１０１）
（２）会員認証手段１５７は、会員認証画面をストリング型ブックマーク・ブラウザ１０  ７に呈示して、会員情報送信手段１０５が、返信したログイン識別記号、パスワードを  受け付けて認証キーにして、会員テーブル２１０を参照して、認証キーに一致するログ  イン識別記号とパスワードの組み合わせが存在すれば、会員認証をして、（３）に進む  。（ステップＳ１０２）認証キーに一致するログイン識別記号とパスワードの組み合わ  せが存在しなければ、会員の認証を与えずに、終了する。
（３）ブックマーク呈示手段１０４は、テーマ名ブテーブル２２０から、全てのテーマ名  を選択して、ストリング型ブックマーク・ブラウザ１０７に呈示させる。（ステップＳ  １０３）
（４）ブックマーク登録者により、ストリング型ブックマーク・ブラウザ１０７のブック  マーク検索表示部３０２に呈示されたテーマ名の一つが選択されたら、ステップステッ  プ（５）に進む。（ステップＳ１０４）呈示されたテーマ名が選択されずに、ストリン  グ型ブックマーク・ブラウザ１０７のテーマ名入力部４０１に、テーマ名の文字列が入  力されて、ブックマーク登録者により、開始ボタン４０２が押されたら、次のに進む。  （ステップＳ１０５）
（５）ストリング型ブックマーク登録指示手段１０１は、テーマ名入力部４０１に入力さ  れたテーマ名を選択されたテーマ名と定義する。（ステップＳ１０６）
（６）ストリング型ブックマーク登録指示手段１０１は、選択されたテーマ名をテーマ名  入力部４０１に表示させる。（ステップＳ１０７）
（７）ストリング型ブックマーク登録指示手段１０１は、選択されたテーマ名のコンテン  ツ・ページのタイトルブックマーク検索表示部３０２に呈示する。（ステップＳ１０８  ）
（８）ブックマーク変更削除処理（後述）を行う。（ステップＳ１０９）
（９）ストリング型ブックマーク・ブラウザ１０７は、ブックマーク登録者が指定したＵ  ＲＬを用いて、ＷＥＢサイトからコンテンツ・ページを取得して表示する。（ステップ  Ｓ１１０）
（１０）ブックマーク登録者により登録ボタン４０３が押されたら、表示されたコンテン  ツ・ページをブックマークすると判断して、（ステップＳ１１１）ストリング型ブック  マーク登録指示手段１０１は、前記表示しているコンテンツ・ページのＵＲＬとタイト  ルと本文を複写して保持して、前記ＵＲＬを送信して、ブックマーク検索表示部３０２  に前記タイトルを表示させる。（ステップＳ１１２）
（１１）ブックマーク登録検査手段１５２は、受信した前記タイトルとＵＲＬをＡＮＤキ  ーにして、ブックマーク・テーブル２３０のＵＲＬを参照して、前記キーと一致するＵ  ＲＬが存在ない場合には、（１３）に進む。前記キーと一致するＵＲＬが存在する場合  には、ブックマーク登録済みの検査結果を送信する。（ステップＳ１１３）
（１２）ストリング型ブックマーク登録指示手段１０１は、ブックマーク登録済みの検査  結果を受信表示して、ブックマーク登録者から破棄の指示を受けたら、（ステップＳ１  １４）前記保持したコンテンツ・ページのＵＲＬとタイトルと本文を破棄する。（ステ  ップＳ１１５）
（１３）更にコンテンツ・ページを検索する場合には、（９）に戻る。（ステップＳ１１  ６）終了ボタンが押されたら、ストリング型ブックマーク登録指示手段１０１は、保持  している前記テーマ名と、前記コンテンツ・ページのＵＲＬとタイトルと本文を送信す  る。（ステップＳ１１７）
（１４）ストリング型ブックマーク登録手段１５１は、前記テーマ名と、前記コンテンツ  ・ページのＵＲＬとタイトルと本文を受信したら、前記受信したテーマ名をテーマ名テ  ーブル２２０に登録して、前記受信したコンテンツ・ページのＵＲＬとタイトルをブッ  クマーク・テーブル２３０に登録して、前記受信した本文をコンテンツ・ファイル２４  ０に登録して、終了する。（ステップＳ１１８）
【００４０】
図１２は、図９のコンテンツ・ページ削除処理を含んだブックマーク変更削除処理の  フローチャートである。
（１）選択されたテーマ名が変更される場合は、次のステップに進む。（ステップＳ１３  １）選択されたテーマ名を変更しない場合は、ステップ（５）に進む。
（２）ブックマーク登録者により変更されたテーマ名入力部４０１の文字列が変更される  。（ステップＳ１３２）
（３）開始ボタンが押されたら、（ステップＳ１３３）テーマ名変更指示手段０３は、テ  ーマ名入力部４０１の文字列を送信する。（ステップＳ１３４）
（４）テーマ名変更手段１５５は、前記受信した文字列で、テーマ名テーブル２２０の前  記選択されたテーマ名を更新する。（ステップＳ１３５）
（５）削除ボタンが押されたら、（ステップＳ１３６）コンテンツ・ページ削除指示手段  １０４は、前記選択されたタイトル名とテーマ名を含んだコンテンツ削除指示情報を送  信する。（ステップＳ１３７）
（６）コンテンツ・ページ削除手段１５６は、受信したコンテンツ削除指示情報に従って  、ブックマーク・テーブル２３０からタイトル・データを削除して、前記削除されたタ  イトル・データが持つ内部ＵＲＬが示す本文データをコンテンツ・ファイル２４０から  削除して、（４）に戻る。（ステップＳ１３８）
【００４１】
図１３は、図１０のブックマーク検索処理のフローチャートである。
（１）ストリング型ブックマーク検索指示手段１０２は、ブックマーク検索者により入力  された検索文字列を受け付けて、送信する。（ステップＳ２０１）
（２）ストリング型ブックマーク検索手段１５３は、前記送信された検索文字列を受信す  る。（ステップＳ２０２）
（３）ストリング型ブックマーク検索手段１５３は、テーマ名・テーブル２２０から、前  記受信した検索文字列を含んだテーマ名を検索して、（ステップＳ２０３）検索結果を  保持する。（ステップＳ２０４）
（４）ストリング型ブックマーク検索手段１０３は、ブックマーク・テーブル２３０から  、前記受信した検索文字列を含んだコンテンツ・ページ・タイトルを検索して、（ステ  ップＳ２０５）検索結果を保持する。（ステップＳ２０６）
（５）ストリング型ブックマーク検索手段１０３は、コンテンツ・ファイル２４０から、  前記受信した検索文字列を含んだ本文を検索して、（ステップＳ２０７）検索結果を保  持する。（ステップＳ２０８）
（６）ストリング型ブックマーク検索手段１０３は、前記保持した検索結果を送信する。  （ステップＳ２０９）
（７）ストリング型ブックマーク検索指示手段１０２は、受信した検索結果を表示する。  （ステップＳ２１０）
【００４２】
図１４は、１つのストリング型ブックマーク・データベース２００とコンテンツ・ファイル２４０の例である。たとえば、図７で表示されていたテーマ名“ブラウザの文字化け”のブックマーク・データベース２００の内容を例示する。このテーマ名の会員データは、会員テーブル２１０に示すように、会員ＩＤ２１０ｄ“KAG8362”などである。このテーマ名のテーマ・データは、テーマ名テーブル２２０に示すように、テーマＩＤ２２０ａ“NA2005001”、テーマ名２２０ｂ“ブラウザの文字化け”、会員ＩＤ２２０ｄ“KAG8362”などである。このテーマ名のタイトル・データは、ブックマーク・テーブル２３０に示すように、ブックマークＩＤ２３０ｅ“BM2005461”、コンテンツ・ページ・タイトル２３０ｄ“Web Server文字化け問題”、ＵＲＬ“http://www.tomcat.com/mojibake/index.html” ２３０ｃ、内部ＵＲＬ２３０ｂ“http://int.cdb.jp/10001.html”、テーマＩＤ２３０ａ“NA2005001”、などである。このコンテンツ・ページ・タイトルの本文データは、コンテンツ・ファイル２４０に記録されており、ブックマークＩＤ２４０ｃ“BM2005461”、内部ＵＲＬ２４０ｂ“http://int.cdb.jp/10001.html”、本文２４０ａ“文字化けが発生しました。このサイトは、2004年3?5月に開催した．．．．．．．．．．”である。
【００４３】
ストリング型ブックマーク・データベース２００は、ブックマーク登録者が情報の内容を吟味判断してブックマークとして登録しているので、情報が絞り込まれており、ブックマーク検索の精度が向上して、検索結果のヒット率が高くて、検索結果の内容が充実している。また、ブックマークを文字列検索する時には、登録したブックマーク情報を全て検索対象にするので、ブックマーク登録者にとってはブックマークの分類などの特別な関連情報を追加する作業が不要となり、ブックマーク登録作業の負荷が軽減された。更に、ブックマーク検索者にとっては、従来のような手作業でブックマークを選択することが不要となるので、選択の見落としが無くなり、検索結果の品質が向上したと同時に、検索作業の負荷が軽減されて、作業能率が向上した。
【００４４】
なお、ブックマーク・データベース２００とコンテンツ・ファイル２４０とは、内部ＵＲＬで関係付ける方法で説明したが、コンテンツ識別記号を用いる方法をとっても、同様の効果が得られる。また、ストリング型ブックマーク・サーバ装置１５０のブックマーク・データベース２００が、コンテンツ・ファイル２４０を持たなくて、ストリング型ブックマーク・クライアント装置１００は、ブックマーク・テーブル２３０に登録されたコンテンツ・ページのＵＲＬを用いて、本文を取得しても、同様の効果が得られる。
【００４５】
また、実施事例で説明したコンテンツ・ページには、テキスト・コンテンツや静止画コンテンツ、映像コンテンツ、音声音楽コンテンツなどが含まれる。
【００４６】
以上詳しく説明したように、本発明によれば、検索者が登録されたストリング型ブックマークを文字列検索することで、目的のブックマークにたどり着くことを実現するストリング型ブックマーク・システムを提供できた。
【図面の簡単な説明】
【００４７】
【図１】ブックマーク・システムの構成図
【図２】ストリング型ブックマーク・システムの通信手順の説明図
【図３】ストリング型ブックマークのデータベース構造図
【図４】ブックマーク表示画面の例
【図５】テーマ名登録画面の例
【図６】検索エンジン表示画面の例
【図７】コンテンツ・ページの検索結果表示画面の例
【図８】コンテンツ・ページの登録画面の例
【図９】ブックマークの文書ページ削除画面の例
【図１０】ブックマーク検索結果の表示画面の例
【図１１】ブックマーク登録更新処理のフローチャート
【図１２】ブックマーク更新処理のフローチャート
【図１３】ブックマーク検索処理のフローチャート
【図１４】１つのストリング型ブックマーク・データベースの説明図
【符号の説明】
【００４８】
１００  ストリング型ブックマーク・クライアント装置
１０１  ストリング型ブックマーク登録指示手段
１０２  ストリング型ブックマーク検索指示手段
１０３  テーマ名変更指示手段
１０４  コンテンツ・ページ削除指示手段
１０５  会員情報送信手段
１０７  ストリング型ブックマーク・ブラウザ
１５０  ストリング型ブックマーク・サーバ装置
１５１  ストリング型ブックマーク登録手段
１５２  ブックマーク登録検査手段
１５３  ストリング型ブックマーク検索手段
１５４  ブックマーク呈示手段
１５５  テーマ名変更手段
１５６  コンテンツ・ページ削除手段
１５７  会員認証手段
１５９  記憶手段
１７０  ＷＥＢサイト
２００  ストリング型ブックマーク・データベース
２１０  会員テーブル
２２０  テーマ名テーブル
２３０  ブックマーク・テーブル
２４０  コンテンツ・ファイル
３００  ストリング型ブックマーク・ブラウザ画面
３０１  検索文字列入力部
３０２  ブックマーク検索表示部
３０３  検索ボタン
４０１  テーマ名入力部
４０２  開始ボタン
４０３  登録ボタン
４０４  終了ボタン
４０５  削除ボタン
５０１  コンテンツ表示部
【図１】
2006309559.tif 000003
【図２】
2006309559.tif 000004
【図３】
2006309559.tif 000005
【図４】
2006309559.tif 000006
【図５】
2006309559.tif 000007
【図６】
2006309559.tif 000008
【図７】
2006309559.tif 000009
【図８】
2006309559.tif 000010
【図９】
2006309559.tif 000011
【図１０】
2006309559.tif 000012
【図１１】
2006309559.tif 000013
【図１２】
2006309559.tif 000014
【図１３】
2006309559.tif 000015
【図１４】
2006309559.tif 000016